(57)【要約】【課題】ころを安定して案内することができるころ軸受を提供する。【解決手段】柱部２２の側壁面３０は、径方向内側に位置し、ポケット２３を形成するように打ち抜き刃によって打ち抜かれるせん断面２８と、径方向外側に位置し、打ち抜き刃によって押し込まれる材料で引きちぎられる破断面２９とを有する。ここで、針状ころ１３の長さをＡとし、ポケット２３の軸方向の長さをＢとし、針状ころ１３の一方の端面３５ａ側の面取り部３２の軸方向の長さをＣとし、針状ころ１３の他方の端面３５ｂをポケット２３の軸方向の一方の幅面３４ｂに当接させた場合に、針状ころ１３の一方の端面３５ａ側において、ポケット２３の軸方向の他方の幅面３４ａからせん断面２８と針状ころ１３との接触する接触部３６までの軸方向の長さをＤとすると、Ｄ＞（Ｂ−Ａ）＋Ｃの関係を有する。【選択図】図１
2007218328.tif 000002
【特許請求の範囲】
【請求項１】
両端面側に面取り部を有する複数のころと、
前記ころを保持する保持器とを備えるころ軸受であって、
前記保持器は、一対の環状部と、前記ころを収容するポケットを形成するように前記一対の環状部を連結し、その中央部が両端部よりも径方向内側に凹んで略Ｖ字状となるように折り曲げられた柱部とを含み、
前記柱部の側壁面は、径方向内側に位置し、前記ポケットを形成するように打ち抜き刃によって打ち抜かれるせん断面と、径方向外側に位置し、打ち抜き刃によって押し込まれる材料で引きちぎられる破断面とを有し、
前記ころの長さをＡとし、前記ポケットの軸方向の長さをＢとし、前記ころの一方の端面側の面取り部の軸方向の長さをＣとし、前記ころの他方の端面を前記ポケットの軸方向の一方の幅面に当接させた場合に、前記ころの一方の端面側において、前記ポケットの軸方向の他方の幅面から前記せん断面と前記ころとの接触する接触部までの軸方向の長さをＤとすると、
Ｄ＞（Ｂ−Ａ）＋Ｃの関係を有する、ころ軸受。
【請求項２】
前記柱部を内径側に折り曲げる角度は、３０°以下である、請求項１に記載のころ軸受。
【請求項３】
軸方向の位置が前記柱部の端部側の折り曲げられた部分において、前記柱部の内径面からの前記接触部の径方向の長さは、前記柱部の径方向の長さの１／４以上である、請求項１または２に記載のころ軸受。
【請求項４】
両端面側に面取り部を有する複数のころを保持するころ軸受の保持器であって、
前記保持器は、一対の環状部と、前記ころを収容するポケットを形成するように前記一対の環状部を連結し、その中央部が両端部よりも径方向内側に凹んで略Ｖ字状となるように折り曲げられた柱部とを含み、
前記柱部の側壁面は、径方向内側に位置し、前記ポケットを形成するように打ち抜き刃によって打ち抜かれるせん断面と、径方向外側に位置し、打ち抜き刃によって押し込まれる材料で引きちぎられる破断面とを有し、
前記ころの長さをＡとし、前記ポケットの軸方向の長さをＢとし、前記ころの一方の端面側の面取り部の軸方向の長さをＣとし、前記ころの他方の端面を前記ポケットの軸方向の一方の幅面に当接させた場合に、前記ころの一方の端面側において、前記ポケットの軸方向の他方の幅面から前記せん断面と前記ころとの接触する接触部までの軸方向の長さをＤとすると、
Ｄ＞（Ｂ−Ａ）＋Ｃの関係を有する、ころ軸受の保持器。
【発明の詳細な説明】
【技術分野】
【０００１】
この発明は、ころ軸受およびころ軸受の保持器に関し、特に、２サイクルエンジンのコンロッド等に使用されるシェル型針状ころ軸受およびこのようなシェル型針状ころ軸受に含まれる保持器に関する。
【背景技術】
【０００２】
シェル型針状ころ軸受は、軸受投影面積が小さいにもかかわらず、高荷重の負荷を受けることができ、かつ、高剛性であるため、排気量の小さい２サイクルエンジンのコンロッド等に使用されている。ここで、シェル型針状ころ軸受は、鋼板を絞り加工等してプレス成型されたシェル型外輪と、針状ころと、シェル型外輪の内径面に沿うように配置される保持器とを含む。保持器には、針状ころを保持するためのポケットが設けられ、各ポケットの間に位置する柱部で、各針状ころの間隔を保持する。
【０００３】
ここで、上記したシェル型針状ころ軸受に含まれる保持器の製造方法について、簡単に説明する。まず、保持器の材料となる帯鋼を、ころを保持することができる大きさのポケット穴を開口するようポケット抜きする。その後、帯鋼の断面形状が略Ｖ字状となるようにプレス加工する。プレス加工後、保持器の円周長さとなるようバンド状に切断し、切断された帯鋼を円筒状に折り曲げ、折り曲げられた帯鋼の端面同士を溶接等により接合し、熱処理工程を行い、保持器を製造する。
【０００４】
上記した製造工程において、帯鋼の断面形状が略Ｖ字状となるプレス加工を行うと、板厚を抑えて保持器の軽量化を図りながら、柱部の径方向の断面高さを大きく確保することができるため、次のような効果が生じる。図８は、プレス加工を行った後に、切断された帯鋼を円筒状に折り曲げる前後の径方向の断面図である。保持器１０４が円筒状に折り曲げられる前（図８（Ａ））の柱部１０６の内径面１１２側の間隔は、保持器１０４が円筒状に折り曲げられた後（図８（Ｂ））に小さくなるため、ポケットに保持された針状ころ１０３が内径面１１２側に抜け落ちることを防止することができる。この場合、さらに、柱部１０６の外径面１１１側に、ころ抜け防止部を設けることにより、針状ころ１０３が外径面１１１側に抜け出るのを防止するようにしてもよい。また、断面高さを調整することにより、保持器１０４の案内を、回転軸、外輪、転動体のいずれの部材でも選択することができる。さらに、板厚を抑えて安価に製造することができるため、経済的優位性が高いものとなる。
【０００５】
図９は、針状ころ１０３が保持された保持器１０４が、外輪１０２および軸１０１に組み込まれた状態を示す図である。図９を参照して、断面形状が略Ｖ字状となるプレス加工を行うことにより、針状ころ１０３を案内するのに最も挙動が安定する位置であるＰＣＤ（Ｐｉｔｃｈ  Ｃｉｒｃｌｅ  Ｄｉａｍｅｔｅｒ）１０５付近で、針状ころ１０３を案内することもできる。
【０００６】
なお、上記した工程により製造された保持器と同様の形状を有する針状ころ軸受の保持器が、特開２００５−９８３６８号公報（特許文献１）に記載されている。
【特許文献１】特開２００５−９８３６８号公報（段落番号００４０、図２）
【発明の開示】
【発明が解決しようとする課題】
【０００７】
上記したポケット抜き工程では、打ち抜き刃を有するポンチ等で、保持器の材料に対し、ポケット形状に刃先を押し当てて打ち抜くことにより行う。この場合、打ち抜かれたポケットの側壁面、すなわち、各ポケットの間に位置する柱部の側壁面には、せん断面および破断面が発生することになる。せん断面とは、ポンチ等の打ち抜き刃の刃先によって打ち抜かれて切断される平滑な面である。また、破断面とは、ポンチ等の打ち抜き刃によって打ち抜くときに、刃先によって押し込まれた材料で引きちぎられるように切断される粗い面である。
【０００８】
ここで、ポケット抜き工程において、円筒状に折り曲げられたときに、内径面となる側からポケットを打ち抜くと、柱部の側壁面の外径面となる側に、破断面が位置し、内径面となる側に、せん断面が位置することになる。
【０００９】
図１０は、この場合の保持器１０４の径方向の断面図であり、図１１は、この場合の保持器１０４の軸方向の断面図である。図１１において、点線で示された部分は、保持器１０４のポケットに保持された針状ころ１０３を示しており、一点鎖線は、ＰＣＤ１０５を示す。図１０および図１１を参照して、内径面１１２側となる図中の矢印Ｘの方向からポケット抜きを行うと、側壁面１１０の内径面１１２側には、せん断面１０８が位置し、側壁面１１０の外径面１１１側には、破断面１０９が位置する。ここで、保持器１０４は略Ｖ字状にプレス加工されているため、ＰＣＤ１０５付近においては、側壁面１１０の軸方向の中央部１１３に破断面１０９が位置し、側壁面１１０の軸方向の両端部１１４にせん断面１０８が位置することになる。
【００１０】
上記したように、破断面１０９は、材料で引きちぎられるように切断される面であるため、ころ案内とすると、ＰＣＤ１０５付近では、針状ころ１０３は、側壁面１１０の両端部１１４側において、せん断面１０８と接触することになる。
【００１１】
ここで、たとえば、図１２に示すように、ポケットの軸方向の長さよりもころ長さの方が極端に短いと、針状ころ１０３が、ポケットの軸方向の一方の幅面１１６ａ側に、一方の端面１１５ａを当接するように片寄った場合、針状ころ１０３の他方の端面１１５ｂ側に設けられた面取り部１１７と、せん断面１０８のみが接触することになる。面取り部１１７はＲ形状であるため、他方の端面１１５ｂ側の接触部１１８において針状ころ１０３を案内すると、針状ころ１０３の挙動が不安定となる。そうすると、針状ころ１０３のスキュー等を生じさせ、軸受のスラスト方向への横走りを招き、引いては、焼付きを生じさせるおそれがある。
【００１２】
この発明の目的は、ころを安定して案内することができるころ軸受を提供することである。
【００１３】
この発明の他の目的は、ころのスキューを低減することができるころ軸受の保持器を提供することである。
【課題を解決するための手段】
【００１４】
この発明に係るころ軸受は、両端面側に面取り部を有する複数のころと、ころを保持する保持器とを備える。保持器は、一対の環状部と、ころを収容するポケットを形成するように一対の環状部を連結し、その中央部が両端部よりも径方向内側に凹んで略Ｖ字状となるように折り曲げられた柱部とを含む。柱部の側壁面は、径方向内側に位置し、ポケットを形成するように打ち抜き刃によって打ち抜かれるせん断面と、径方向外側に位置し、打ち抜き刃によって押し込まれる材料で引きちぎられる破断面とを有する。ここで、ころの長さをＡとし、ポケットの軸方向の長さをＢとし、ころの一方の端面側の面取り部の軸方向の長さをＣとし、ころの他方の端面をポケットの軸方向の一方の幅面に当接させた場合に、ころの一方の端面側において、ポケットの軸方向の他方の幅面からせん断面ところとの接触する接触部までの軸方向の長さをＤとすると、Ｄ＞（Ｂ−Ａ）＋Ｃの関係を有する。
【００１５】
このように構成することにより、ころがポケットの一方側に片寄った場合でも、ころの面取り部以外の部分、すなわち、ころのストレート部と、柱部の側壁面のうちの平滑なせん断面とが接触する部分を確保することができる。そうすると、ころの両端面側において、ころのストレート部とせん断面とを、常に接触させることができる。したがって、ころを安定して案内することができる。
【００１６】
好ましくは、柱部を内径側に折り曲げる角度は、３０°以下である。ポケット抜き工程を行った後にＶ型フォーム成形を行うと、柱部の側壁面には、周方向の肉厚の盛り上がりが発生する。この肉厚の盛り上がりは、せん断面の平滑性を阻害するおそれがあるため、この部分でころを案内すると、ころの案内が不安定となる。ここで、柱部を内径側に折り曲げる角度を３０°以下とすることにより、Ｖ型フォーム成形時において、せん断面に生ずる肉厚の盛り上がりの影響を受けない部分を確保することができるため、安定してころを案内することができる。
【００１７】
より好ましくは、軸方向の位置が柱部の端部側の折り曲げられた部分において、柱部の内径面からの接触部の径方向の長さは、柱部の径方向の長さの１／４以上である。上記したように、Ｖ型フォーム成形時において、柱部の側壁面には、肉厚の盛り上がりが生ずる。この肉厚の盛り上がりは、軸方向の位置が柱部の端部側の折り曲げられた部分において、内径面側の折曲げ部が最も大きく、径方向外側に向かって小さくなる。ここで、柱部の内径面からの接触部の径方向の長さを、柱部の径方向の長さの１／４以上とすることにより、径方向内側に発生する肉厚の盛り上がりの影響を受けずに、ころとせん断面とを接触させることができる。そうすると、安定してころを案内することができる。
【００１８】
この発明の他の局面においては、ころ軸受の保持器は、両端面側に面取り部を有する複数のころを保持する。また、ころ軸受の保持器は、一対の環状部と、ころを収容するポケットを形成するように一対の環状部を連結し、その中央部が両端部よりも径方向内側に凹んで略Ｖ字状となるように折り曲げられた柱部とを含む。柱部の側壁面は、径方向内側に位置し、ポケットを形成するように打ち抜き刃によって打ち抜かれるせん断面と、径方向外側に位置し、打ち抜き刃によって押し込まれる材料で引きちぎられる破断面とを有する。ここで、ころの長さをＡとし、ポケットの軸方向の長さをＢとし、ころの一方の端面側の面取り部の軸方向の長さをＣとし、ころの他方の端面をポケットの軸方向の一方の幅面に当接させた場合に、ころの一方の端面側において、ポケットの軸方向の他方の幅面からせん断面ところとの接触する接触部までの軸方向の長さをＤとすると、Ｄ＞（Ｂ−Ａ）＋Ｃの関係を有する。
【００１９】
このような関係を有するころ軸受の保持器を、ころ軸受に使用することにより、ころの両端面側において、ころのストレート部とせん断面とを、常に接触させることができる。したがって、ころのスキューを抑制することができる。
【発明の効果】
【００２０】
この発明によれば、ころがポケットの一方側に片寄った場合でも、ころの面取り部以外の部分、すなわち、ころのストレート部と、柱部の側壁面のうちの平滑なせん断面とが接触する部分を確保することができる。そうすると、ころの両端面側において、ころのストレート部とせん断面とを、常に接触させることができる。したがって、ころを安定して案内することができる。
【００２１】
また、このような関係を有するころ軸受の保持器を、ころ軸受に使用することにより、ころの両端面側において、ころのストレート部とせん断面とを、常に接触させることができる。したがって、ころのスキューを抑制することができる。
【発明を実施するための最良の形態】
【００２２】
以下、この発明の実施の形態を図面を参照して説明する。図２は、この発明の一実施形態に係るころ軸受をシェル型針状ころ軸受として使用し、コンロッドに取り付けられた状態を示す断面図である。図２を参照して、シェル型針状ころ軸受１１は、シェル型外輪１２と、シェル型外輪１２の内径面に沿うように配置される複数の針状ころ１３と、針状ころ１３を保持する保持器１４とを有する。シェル型針状ころ軸受１１は、コンロッド１５の小端部１７に圧入されている。また、コンロッド１５の大端部１８には、シェル型針状ころ軸受１１と同じ構成のシェル型針状ころ軸受１６が圧入されている。なお、針状ころ１３の外径は、０．５〜２．３ｍｍのものが用いられる。
【００２３】
ここで、シェル型針状ころ軸受１１を構成する部材のうち、保持器１４の製造方法の一例について説明する。図３は、この発明の一実施形態に係るシェル型針状ころ軸受１１に含まれる保持器１４の代表的な製造工程を示すフローチャートである。また、図４は、図３に示された工程のうち、代表的な製造工程を示す図である。
【００２４】
図３および図４を参照して、まず、保持器１４の材料となる鋼板を、帯鋼の状態（図３（Ａ））から、針状ころ１３を保持するポケットを形成するためのポケット抜き工程（図３（Ｂ）、図４（Ａ））を行う。鋼板は、板厚が０．５〜１．２ｍｍのものを用いる。ポケット抜き工程は、ダイスおよび打ち抜き刃を有するポンチで、帯鋼に対し、ポケット形状に刃先を押し当てて打ち抜くことにより行う。ここで、ポンチの打ち抜く方向であるが、後の曲げ工程で円筒状に折り曲げたときに、内径面となる側から打ち抜きを行う。こうすることにより、最終的に製造された保持器について、内径面となる側の柱部の側壁面はせん断面となり、外径面となる側の柱部の側壁面は破断面となる。
【００２５】
なお、ポケット抜き工程において、側壁面には、せん断面と破断面が形成されるが、せん断面の径方向の長さは、径方向の全体の長さに対して、０．４〜０．６の割合とすることが好ましい。ポケット抜き工程において、ポンチとダイスのクリアランスを小さくすれば、せん断面の割合を多くすることができる。しかし、こうすると、ポケット抜き工程において、多量のバリが発生し、後の工程においてバリ除去を行わなければならず、コストアップの要因となってしまう。したがって、上記した割合内において、せん断面と破断面を形成するよう、ポケット抜きを行う。
【００２６】
次に、ポケットが打ち抜かれた帯鋼を、軸方向の断面形状が略Ｖ字状となるように成型するプレス工程（図３（Ｃ）、図４（Ｂ））を行う。ここで、略Ｖ字状とは、ポケットが打ち抜かれた帯鋼の中央部と両端部とが円筒状に折り曲げられたときに、径方向に段差が設けられるように押し曲げることをいう。これは、後に外径面となる側から内径面となる側に向かって、プレスで押圧することによって行う。したがって、プレス工程によって、柱部の中央部は、柱部の端部よりも径方向内側に凹んだ形状となる。
【００２７】
その後、保持器１４の円周長さとなるように、帯鋼を切断する切断工程（図４（Ｃ））を行う。次に、切断された帯鋼を、シェル型外輪１２の内径面に沿うような円筒状に折り曲げる曲げ工程（図３（Ｄ）、図４（Ｄ））を行い、その後、両端面を溶接等により接合する接合工程（図３（Ｅ）、図４（Ｅ））を行った後、軟窒化処理や浸炭焼入処理等の熱処理工程（図４（Ｆ））を行って、保持器１４が製造される。
【００２８】
なお、このようにして製造された保持器１４のポケットに、両端面側に面取り部を有する複数の針状ころ１３を組み込み、針状ころ１３が組み込まれた保持器１４をシェル型外輪１２に取り付け、シェル型針状ころ軸受１１が製造される。
【００２９】
図１は、上記した製造工程で製造された保持器１４の軸方向の断面図の一部である。図１において、点線で示された部分は、保持器１４のポケットに保持された針状ころ１３を示しており、一点鎖線は、ＰＣＤを示す。
【００３０】
図１を参照して、保持器１４は、一対の環状部２１ａ、２１ｂと、針状ころ１３を収容するポケット２３を形成するように一対の環状部２１ａ、２１ｂを連結し、その中央部２５が両端部２４ａ、２４ｂよりも径方向内側に凹んで略Ｖ字状となるように折り曲げられた柱部２２とを含む。したがって、柱部２２の中央部２５は、柱部２２の両端部２４ａ、２４ｂよりも内径面２６側に位置することになる。
【００３１】
上述したポケット抜き工程において、内径面２６側からポンチの打ち抜き刃を押し当てて打ち抜いているため、柱部２２の側壁面３０において、内径面２６側にはせん断面２８が位置し、外径面２７側には破断面２９が位置している。したがって、ＰＣＤ３１上においては、柱部２２の中央部２５には、外径面２７側の破断面２９が位置し、柱部２２の両端部２４ａ、２４ｂには、内径面２６側のせん断面２８が位置することになる。
【００３２】
柱部２２の中央部２５に位置する破断面２９は、打ち抜き刃によって押し込まれる材料で引きちぎられた形状をしているため、ＰＣＤ３１付近においては、針状ころ１３は、柱部２２の両端部２４ａ、２４ｂに位置する平滑なせん断面２８と接触することになる。
【００３３】
ここで、針状ころ１３の長さをＡとし、ポケット２３の軸方向の長さをＢとし、針状ころ１３の一方の端面３５ａ側の面取り部３２の軸方向の長さをＣとし、針状ころ１３の他方の端面３５ｂをポケット２３の軸方向の一方の幅面３４ｂに当接させた場合に、針状ころ１３の一方の端面３５ａ側において、ポケット２３の軸方向の他方の幅面３４ａからせん断面２８と針状ころ１３との接触する接触部３６までの軸方向の長さをＤとすると、Ｄ＞（Ｂ−Ａ）＋Ｃの関係を有する。
【００３４】
このように構成することにより、針状ころ１３が、ポケット２３の軸方向の一方の幅面３４ｂ側に、針状ころ１３の他方の端面３５ｂを当接するように片寄った場合でも、針状ころ１３の一方の端面３５ａ側において、針状ころ１３の面取り部３２以外の部分、すなわち、針状ころ１３のストレート部３３と、柱部２２の側壁面３０のうちの平滑なせん断面２８とが接触する部分を確保することができる。また、針状ころ１３が、ポケット２３の軸方向の一方の幅面３４ａ側に、一方の端面３５ａを当接するように片寄った場合も同様に、針状ころ１３のストレート部３３と、せん断面２８との接触する部分を確保することができる。そうすると、針状ころ１３の両端面３５ａ、３５ｂ側において、針状ころ１３のストレート部３３と側壁面３０のせん断面２８とを、常に接触させることができる。したがって、針状ころ１３を安定して案内することができる。
【００３５】
また、Ｖ型フォーム成形において、柱部２２は、その中央部２５が両端部２４ａ、２４ｂよりも径方向内側に凹んで略Ｖ字状となるように折り曲げられるが、柱部２２を内径側に折り曲げる角度は、３０°以下とすることが好ましい。
【００３６】
図５は、柱部２２を折り曲げる角度を３０°とした保持器１４の断面図の一部である。図５を参照して、保持器１４の柱部２２は、Ｖ型フォーム成形されており、柱部２２のうち、軸方向の中央部２５が、軸方向の両端部２４ａ、２４ｂよりも径方向内側に配置されている。柱部２２の側壁面３０のうち、内径面２６側には、せん断面２８が位置し、外径面２７側には、破断面２９が位置する。
【００３７】
Ｖ型フォーム成形を行うと、折り曲げによる肉厚の盛り上がりが、側壁面３０に発生する。この盛り上がりは、折り曲げにより柱部２２が偏肉し、余肉が盛り上がることにより生じるものであり、せん断面２８の平滑性を阻害するおそれがある。したがって、この部分でころを案内すると、ころの案内が不安定となる。また、この盛り上がり量を調整することは極めて困難であり、折り曲げる角度が大きいほど、大きくなる。
【００３８】
ここで、柱部２２を折り曲げる角度を小さくして、３０°以下とすることにより、せん断面２８において、肉厚の盛り上がりの影響を受けない部分を確保することができるため、針状ころ１３を、安定して案内することができる。
【００３９】
この場合、柱部２２を折り曲げる角度として、図５中に示す柱部２２の端部２４ａの内径面２６を延ばした仮想線３９ａと、中央部２５と端部２４ａとの間に形成される傾斜部３７の内径面２６を延ばした仮想線３９ｂとのなす角度αを、３０°以下とすることにより、柱部２２の折り曲げる角度を規定することにしてもよい。
【００４０】
また、針状ころ１３とせん断面２８との接触部３６の径方向の位置については、軸方向の位置が柱部２２の一方の端部２４ａ側の折り曲げられた部分、すなわち、折曲げ部３８ａ、３８ｂにおいて、柱部２２の内径面２６からの接触部３６の径方向の長さＦは、柱部２２の径方向の長さＧの１／４以上とすることが好ましい。上記したように、Ｖ型フォーム成形を行うと、折り曲げによる肉厚の盛り上がりが、側壁面３０に発生する。この肉厚の盛り上がりは、軸方向の位置が柱部２２の端部２４ａ、２４ｂ側の折り曲げられた部分が最も大きい。さらに、その部分において、内径面２６側の折曲げ部３８ｂが最も大きく、径方向外側に向かって小さくなっていく。
【００４１】
図６は、図５で示す保持器１４、すなわち、柱部２２を折り曲げる角度を３０°とした保持器１４の柱部２２の側壁面３０のうち、軸方向において折曲げ部３８ａ、３８ｂが位置する部分の径方向の母線形状曲線４３ａを、図６中の矢印Ｅの方向に測定した図である。図７は、柱部２２の折り曲げる角度を４５°とした場合における従来の保持器１４の柱部２２の側壁面３０のうち、図６に対応する部分の径方向の母線形状曲線４３ｂを示す図である。図６および図７中、母線形状曲線４３ａ、４３ｂの左端側には、外径面２７側の折曲げ部３８ａが位置し、母線形状曲線４３ａ、４３ｂの右端側には、内径面２６側の折曲げ部３８ｂが位置する。また、図６および図７中において、側壁面３０のうち、せん断面２８および破断面２９に対応する部分を示している。
【００４２】
まず、図７を参照して、柱部２２を折り曲げる角度を４５°とすると、折曲げ部３８ｂにおける盛り上がり量が大きくなり、せん断面２８が少なからず肉厚の盛り上がりの影響を受けてしまうことになる。そうすると、針状ころ１３を安定して案内することができないおそれがある。
【００４３】
一方、図６を参照して、柱部２２を折り曲げる角度を３０°とすると、側壁面３０の盛り上がりの影響は、内径面２６側、すなわち、折曲げ部３８ｂ側から径方向の全体の長さのおよそ２０％の位置までに収まる。そうすると、内径面２６側から２０％以上の位置においては、せん断面２８は、肉厚の盛り上がりの影響を受けない部分を確保することができる。したがって、内径面２６からの、針状ころ１３とせん断面２８との接触部３６の径方向の長さＦを、柱部２２の径方向の長さＧの少なくとも２５％以上、すなわち、柱部２２の径方向の長さＧの１／４以上の位置とすることにより、肉厚の盛り上がりの影響を受けていないせん断面２８と、針状ころ１３とを接触させることができ、針状ころ１３を、安定して案内することができる。
【００４４】
ここで、実施例として、図６で示した柱部２２の折り曲げる角度を３０°とした保持器１４を含むシェル型針状ころ軸受、比較例として、図７で示した柱部２２の折り曲げる角度を４５°とした従来の保持器１４を含むシェル型針状ころ軸受について、各シェル型針状ころ軸受をコンロッドに使用して、耐焼付き性を確認する試験を実施した。試験条件は、以下の通りである。また、本試験結果を、表１に示す。
【００４５】
混合比            ：ガソリン／潤滑オイル＝５０／１
運転パターン      ：フルスロットル
運転時間          ：２時間又は焼き付くまで
【００４６】
【表１】
2007218328.tif 000003
【００４７】
表１は、上記した試験の結果を示す表である。表１を参照して、比較例においては、シェル型針状ころ軸受１０個中、８個に対して焼付きが発生した。一方、実施例においては、シェル型針状ころ軸受１０個中、焼付きは発生しなかった。したがって、柱部２２を折り曲げる角度を３０°以下とすることにより、焼付きを防止することができる。
【００４８】
このようなシェル型針状ころ軸受を、たとえば、２サイクルエンジンに組み込んで運転した場合、針状ころが安定して案内されているため、針状ころのスキューが抑制される。そうすると、シェル型針状ころ軸受の横走りがなくなり、シェル型外輪の幅面とエンジンの相手部品との接触が抑えられ、焼付きを防止することができる。
【００４９】
なお、上記の実施の形態においては、シェル型針状ころ軸受について説明したが、これに限らず、ソリッド型針状ころ軸受であってもよい。また、ころとして、針状ころを使用したが、これに限らず、棒状ころ、円筒ころ等、他のころでも適用することができる。さらには、シェル型針状ころ軸受は、シェル型外輪を含むこととしたが、これに限らず、シェル型外輪を含まない保持器付きころ軸受についても、適用可能である。
【００５０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５１】
この発明に係るころ軸受およびころ軸受の保持器は、ころを安定して案内することができるため、ころのスキューを抑制し、耐焼付き性を向上させた２サイクルエンジンのコンロッド等に使用されるころ軸受およびこのようなころ軸受に使用される保持器に有効に利用できる。
【図面の簡単な説明】
【００５２】
【図１】この発明の一実施形態に係るシェル型針状ころ軸受に含まれる保持器の軸方向の断面図の一部である。
【図２】この発明の一実施形態に係るシェル型針状ころ軸受をコンロッドに取り付けた状態を示す断面図である。
【図３】この発明の一実施形態に係るシェル型針状ころ軸受に含まれる保持器の製造工程を示すフローチャートである。
【図４】保持器の製造工程のうち、代表的な工程を示す概略図であり、帯鋼の状態（Ａ）、ポケット抜き工程（Ｂ）、プレス工程（Ｃ）、曲げ工程（Ｄ）、溶接工程（Ｅ）を示す。
【図５】柱部を折り曲げる角度を３０°とした保持器の軸方向の断面図の一部である。
【図６】図５に示す保持器の柱部のうち、側壁面の径方向の母線形状曲線を示す図である。
【図７】柱部を折り曲げる角度を４５°とした保持器の柱部のうち、側壁面の径方向の母線形状曲線を示す図である。
【図８】保持器の材料である帯鋼を円筒状に折り曲げる前（Ａ）および折り曲げた後（Ｂ）の状態を示す径方向の断面図である。
【図９】略Ｖ字状にプレス加工を行った保持器のポケットに、針状ころを保持した状態を示した図である。
【図１０】内径面側にせん断面、外径面側に破断面が位置された従来の保持器の径方向の断面図の一部である。
【図１１】内径面側にせん断面、外径面側に破断面が位置された従来の保持器の軸方向の断面図の一部である。
【図１２】ポケットの一方の幅面側にころの一方の端面が当接した場合の従来における保持器の軸方向の断面図の一部である。
【符号の説明】
【００５３】
１１，１６  シェル型針状ころ軸受、１２  シェル型外輪、１３  針状ころ、１４  保持器、１５  コンロッド、１７  小端部、１８  大端部、２１ａ，２１ｂ  環状部、２２  柱部、２３  ポケット、２４ａ，２４ｂ  端部、２５  中央部、２６  内径面、２７  外径面、２８  せん断面、２９  破断面、３０  側壁面、３１  ＰＣＤ、３２  面取り部、３３  ストレート部、３４ａ，３４ｂ  幅面、３５ａ，３５ｂ  端面、３６  接触部、３７  傾斜部、３８ａ，３８ｂ  折曲げ部、３９ａ，３９ｂ  仮想線、４３ａ，４３ｂ  母線形状曲線。
【図１】
2007218328.tif 000004
【図２】
2007218328.tif 000005
【図３】
2007218328.tif 000006
【図４】
2007218328.tif 000007
【図５】
2007218328.tif 000008
【図６】
2007218328.tif 000009
【図７】
2007218328.tif 000010
【図８】
2007218328.tif 000011
【図９】
2007218328.tif 000012
【図１０】
2007218328.tif 000013
【図１１】
2007218328.tif 000014
【図１２】
2007218328.tif 000015